(57)【要約】【課題】プロテクタのコネクタ収容部へのコネクタの組付け作業を容易化して生産性を向上可能なコネクタの組付け構造の提供。【解決手段】ワイヤハーネス１０に装着されるプロテクタ２０のコネクタ収容部２５へのジョイントコネクタ１５からなるコネクタの組付け構造であって、ジョイントコネクタ１５は、表裏の形状が非対称のハウジング３０を有し、コネクタ収容部２５は、互いに対向する一対の側壁部５２，５３と、側壁部５２，５３に挟まれて形成され、ハウジング３０が嵌合可能な収容空間５０と、側壁部５２，５３の少なくとも一方の上縁部に設けられ、収容空間５０内に嵌め込まれたハウジング３０を係止する係止爪６１と、を有し、コネクタ収容部２５には、ハウジング３０の表面３１を一方の側壁部５２に向けた第一の姿勢又はハウジング３０の表面３１を他方の側壁部５３に向けた第二の姿勢の何れかの姿勢で、ハウジング３０が収容空間５０に嵌合される。【選択図】図４
2018045830.tif 000002
【特許請求の範囲】
【請求項１】
ワイヤハーネスに装着されるプロテクタのコネクタ収容部へのコネクタの組付け構造であって、
前記コネクタは、
表裏の形状が非対称のハウジングを有し、
前記コネクタ収容部は、
互いに対向する一対の側壁部と、
前記側壁部に挟まれて形成され、前記ハウジングが嵌合可能な収容空間と、
前記側壁部の少なくとも一方の上縁部に設けられ、前記収容空間内に嵌め込まれた前記ハウジングを係止する係止爪と、
を有し、
前記コネクタ収容部には、前記ハウジングの表面を一方の前記側壁部に向けた第一の姿勢または前記ハウジングの表面を他方の前記側壁部に向けた第二の姿勢のいずれかの姿勢で、該ハウジングが前記収容空間に嵌合される、
ことを特徴とするコネクタの組付け構造。
【請求項２】
前記コネクタには、前記ハウジングの表面または裏面の少なくとも一方に突起部を有し、
前記コネクタ収容部には、それぞれの前記側壁部に、前記収容空間へ嵌合される前記ハウジングの前記突起部が挿入される逃げ溝が形成されている、
ことを特徴とする請求項１に記載のコネクタの組付け構造。
【請求項３】
いずれかの前記側壁部には、前記収容空間に嵌合された前記ハウジングを対向側の前記側壁部へ押圧する押圧突起が形成されている、
ことを特徴とする請求項１または請求項２に記載のコネクタの組付け構造。
【請求項４】
前記コネクタ収容部は、前記収容空間に嵌合された前記ハウジングから引き出された電線を収容可能な電線導出部を有し、
前記電線導出部は、一対の導出側壁部を有する溝状に形成され、
前記ハウジングから引き出された前記電線が一方の前記導出側壁部に当接して湾曲された状態で前記電線導出部に収容される、
ことを特徴とする請求項１から３のいずれか一項に記載のコネクタの組付け構造。
【請求項５】
前記コネクタは、前記電線の引き出し方向を側方へ向けた状態で前記コネクタ収容部に収容される、
ことを特徴とする請求項４に記載のコネクタの組付け構造。
【発明の詳細な説明】
【技術分野】
【０００１】
本発明は、コネクタの組付け構造に関する。
【背景技術】
【０００２】
自動車等の車両用のワイヤハーネスには、保護、経路形成及び車体への固定のために、プロテクタが装着される。プロテクタは、断面視Ｕ字状またはコ字状の収容溝を有し、この収容溝内に、ワイヤハーネスが収容される。
【０００３】
このプロテクタには、コネクタ収容部を備えたものがあり、このコネクタ収容部には、ワイヤハーネスからの分岐線に設けられたコネクタが収容されて保持される（例えば、特許文献１〜３参照）。
【先行技術文献】
【特許文献】
【０００４】
【特許文献１】特開２０１２−５５０５８号公報
【特許文献２】特開２００２−２１８６２５号公報
【特許文献３】特開２０１１−１２０３１８号公報
【発明の概要】
【発明が解決しようとする課題】
【０００５】
近年、さらなる生産性の向上が望まれており、ワイヤハーネスへのプロテクタの組み付け作業をより効率的に行うことが要求されている。このため、プロテクタのコネクタ収容部へコネクタを収容させる組付け作業の容易化が望まれている。
【０００６】
本発明は、上述した事情に鑑みてなされたものであり、その目的は、プロテクタのコネクタ収容部へのコネクタの組付け作業を容易化して生産性を向上させることが可能なコネクタの組付け構造を提供することにある。
【課題を解決するための手段】
【０００７】
前述した目的を達成するために、本発明に係るコネクタの組付け構造は、下記（１）〜（５）を特徴としている。
（１）  ワイヤハーネスに装着されるプロテクタのコネクタ収容部へのコネクタの組付け構造であって、
前記コネクタは、
表裏の形状が非対称のハウジングを有し、
前記コネクタ収容部は、
互いに対向する一対の側壁部と、
前記側壁部に挟まれて形成され、前記ハウジングが嵌合可能な収容空間と、
前記側壁部の少なくとも一方の上縁部に設けられ、前記収容空間内に嵌め込まれた前記ハウジングを係止する係止爪と、
を有し、
前記コネクタ収容部には、前記ハウジングの表面を一方の前記側壁部に向けた第一の姿勢または前記ハウジングの表面を他方の前記側壁部に向けた第二の姿勢のいずれかの姿勢で、該ハウジングが前記収容空間に嵌合される
ことを特徴とするコネクタの組付け構造。
（２）  前記コネクタには、前記ハウジングの表面または裏面の少なくとも一方に突起部を有し、
前記コネクタ収容部には、それぞれの前記側壁部に、前記収容空間へ嵌合される前記ハウジングの前記突起部が挿入される逃げ溝が形成されている
ことを特徴とする（１）に記載のコネクタの組付け構造。
（３）  いずれかの前記側壁部には、前記収容空間に嵌合された前記ハウジングを対向側の前記側壁部へ押圧する押圧突起が形成されている
ことを特徴とする（１）または（２）に記載のコネクタの組付け構造。
（４）  前記コネクタ収容部は、前記収容空間に嵌合された前記ハウジングから引き出された電線を収容可能な電線導出部を有し、
前記電線導出部は、一対の側壁部を有する溝状に形成され、
前記ハウジングから引き出された前記電線が一方の前記側壁部に当接して湾曲された状態で前記電線導出部に収容される
ことを特徴とする（１）から（３）のいずれかに記載のコネクタの組付け構造。
（５）  前記コネクタは、前記電線の引き出し方向を側方へ向けた状態で前記コネクタ収容部に収容される
ことを特徴とする（４）に記載のコネクタの組付け構造。
【０００８】
上記（１）の構成のコネクタの組付け構造では、コネクタ収容部の収容空間に対して、ハウジングの表面を一方の側壁部に向けた第一の姿勢またはハウジングの表面を他方の側壁部に向けた第二の姿勢のいずれかの姿勢で嵌合させ、係止爪で係止させることができる。つまり、表裏の形状が非対称のハウジングを有するコネクタを、ハウジングの表裏の向きを気にすることなく、コネクタ収容部へ収容させることができる。これにより、作業者の負担を軽減し、プロテクタのコネクタ収容部へのコネクタの組付け作業を容易化して生産性を向上させることができる。
上記（２）の構成のコネクタの組付け構造では、ハウジングの表面または裏面の少なくとも一方に突起部を有するコネクタをコネクタ収容部の収容空間に嵌合させる際に、ハウジングの突起部が側壁部に干渉することなく、逃げ溝内に挿入される。したがって、コネクタ収容部へコネクタを収容させる組付け作業を円滑に行うことができる。また、ハウジングの突起部と逃げ溝とが係合することで、収容空間にハウジングを位置決めすることができ、また、ハウジングのがたつきを抑えることができる。
上記（３）の構成のコネクタの組付け構造では、収容空間に嵌合されたハウジングが側壁部の押圧突起によって対向側の側壁部へ押圧されるので、ハウジングをがたつきなく収容空間内に収容させることができる。
上記（４）の構成のコネクタの組付け構造では、電線導出部の一方の側壁部に当接された電線からの反力によって、収容空間内に嵌合されたハウジングを、さらにがたつきなく安定した状態で収容空間内に収容させることができ、また、収容空間からの抜け出しを抑えることができる。
上記（５）の構成のコネクタの組付け構造では、コネクタが電線の引き出し方向を側方に向けた状態でコネクタ収容部に収容されるので、電線を伝ってハウジングへ水が浸入することを抑制でき、防水性を高めることができる。これにより、コネクタへの水の浸入を抑制する防水用のカバーなどの部品を不要にでき、コストを抑えることができる。
【発明の効果】
【０００９】
本発明によれば、プロテクタのコネクタ収容部へのコネクタの組付け作業を容易化して生産性を向上させることが可能なコネクタの組付け構造を提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、ワイヤハーネス及びワイヤハーネスに組付けられるプロテクタの分解斜視図である。
【図２】図２は、プロテクタのコネクタ収容部に組付けられるジョイントコネクタの斜視図である。
【図３】図３は、プロテクタのコネクタ収容部に組付けられるジョイントコネクタを示す図であって、図３（ａ）は表面側から視た正面図、図３（ｂ）は一方側の側面図、図３（ｃ）は他方側の側面図、図３（ｄ）は先端面側から視た平面図である。
【図４】図４は、コネクタ収容部を説明する図であって、図４（ａ）はジョイントコネクタの収容前のコネクタ収容部の斜視図、図４（ｂ）はジョイントコネクタが収容されたコネクタ収容部の斜視図である。
【図５】図５は、コネクタ収容部を説明する図であって、図５（ａ）はジョイントコネクタの収容前のコネクタ収容部の平面図、図５（ｂ）はジョイントコネクタが収容されたコネクタ収容部の平面図である。
【発明を実施するための形態】
【００１２】
以下、本発明に係る実施の形態の例を、図面を参照して説明する。
【００１３】
図１は、ワイヤハーネス及びワイヤハーネスに組付けられるプロテクタの分解斜視図である。
図１に示すように、本実施形態に係るコネクタの組付け構造は、プロテクタ２０のコネクタ収容部２５にワイヤハーネス１０に設けられたジョイントコネクタ（コネクタ）１５を組付ける組付け構造である。
【００１４】
プロテクタ２０が装着されるワイヤハーネス１０は、プロテクタ２０を車両のインストルメントパネル内のリーンホース（図示略）に固定することで、インストルメントパネル内に配索される。
【００１５】
ワイヤハーネス１０は、複数の電線を束ねて構成されており、プロテクタ２０が組付けられる部分以外が、コルゲートチューブなどの外装部材を装着したり、テープ巻きを施すことで保護される。ワイヤハーネス１０は、分岐線１３を有しており、分岐線１３には、ジョイントコネクタ１５，１６が接続されている。
【００１６】
プロテクタ２０は、樹脂から成形されたもので、断面視Ｕ字状またはコ字状に形成することで、収容溝２１が形成されている。このプロテクタ２０には、収容溝２１内にワイヤハーネス１０が収容される。プロテクタ２０には、コネクタ収容部２５，２６が設けられており、これらのコネクタ収容部２５，２６には、ジョイントコネクタ１５，１６が組付けられる。
【００１７】
このプロテクタ２０は、蓋体２７が組付けられる。蓋体２７は、樹脂から成形されたもので、プロテクタ２０に組付けられることで、収容溝２１及びコネクタ収容部２５，２６を封鎖する。プロテクタ２０は、複数の固定部２８を有している。これらの固定部２８は、ボルト等によって車両のボディに固定される。これにより、ワイヤハーネス１０に組付けられるプロテクタ２０は、車両のインストルメントパネル内のリーンホースに固定される。
【００１８】
次に、プロテクタ２０のコネクタ収容部２５におけるジョイントコネクタ１５の組付け構造について詳述する。
【００１９】
図２は、プロテクタのコネクタ収容部に組付けられるジョイントコネクタの斜視図である。図３は、プロテクタのコネクタ収容部に組付けられるジョイントコネクタを示す図であって、図３（ａ）は表面側から視た正面図、図３（ｂ）は一方側の側面図、図３（ｃ）は他方側の側面図、図３（ｄ）は先端面側から視た平面図である。
【００２０】
図２及び図３（ａ）〜（ｄ）に示すように、コネクタ収容部２５に組付けられるジョイントコネクタ１５は、樹脂製のハウジング３０を有している。ハウジング３０は、箱型に形成されており、表面３１と、裏面３２と、一対の側面３３，３４と、先端面３５と、基端面３６とを有している。ジョイントコネクタ１５は、ハウジング３０内に、接続ピン（図示略）を備えている。また、ハウジング３０には、基端面３６で開口する複数の端子収容室（図示略）が形成されている。ハウジング３０の端子収容室には、ワイヤハーネス１０の分岐線１３を構成する電線１３ａの端部に接続された端子（図示略）が挿し込まれて収容されている。これらの端子収容室に挿し込まれた端子は、接続ピンに接続され、互いの電線１３ａ同士が接続ピンを介して電気的に接続されている。そして、ジョイントコネクタ１５は、ハウジング３０の基端面３６から複数の電線１３ａが引き出されている。本例では、ジョイントコネクタ１５は、４ピンの接続ピンを備え、４本の電線１３ａを導通させる４ピン用のジョイントコネクタである。
【００２１】
ジョイントコネクタ１５のハウジング３０には、表面３１における基端面３６側の縁部に、幅方向にわたる突起部４１が形成されている。また、ハウジング３０は、前後方向の略中央から先端面３５側の幅寸法が基端面３６側の幅寸法よりも小さくされている。さらに、ハウジング３０には、裏面３２における先端面３５寄りの部分に凹み部４２を有している。また、ハウジング３０は、前後方向の後側において、表面３１と側面３３，３４との角部に切欠き部４３を有している。このように、ジョイントコネクタ１５のハウジング３０は、左右が対称形状とされ、かつ表裏が非対称形状とされている。
【００２２】
図４は、コネクタ収容部を説明する図であって、図４（ａ）はジョイントコネクタの収容前のコネクタ収容部の斜視図、図４（ｂ）はジョイントコネクタが収容されたコネクタ収容部の斜視図である。図５は、コネクタ収容部を説明する図であって、図５（ａ）はジョイントコネクタの収容前のコネクタ収容部の平面図、図５（ｂ）はジョイントコネクタが収容されたコネクタ収容部の平面図である。
【００２３】
図４（ａ）（ｂ）及び図５（ａ）（ｂ）に示すように、プロテクタ２０のコネクタ収容部２５は、上部が開口された溝状の収容空間５０を有している。このコネクタ収容部２５の収容空間５０には、その上方側からジョイントコネクタ１５のハウジング３０が嵌合される。コネクタ収容部２５には、収容空間５０の一端側に、収容溝２１に繋がる電線導出部７０が形成されており、この電線導出部７０には、ハウジング３０から引き出された電線１３ａが収容される。
【００２４】
コネクタ収容部２５の収容空間５０は、底壁部５１と、一対の側壁部５２，５３と、端壁部５４とを有している。収容空間５０は、側壁部５２，５３同士の間隔である幅寸法が、ハウジング３０の厚さ寸法よりも僅かに大きくされている。また、収容空間５０は、深さ寸法が、ハウジング３０の幅寸法よりも僅かに大きくされており、奥行き寸法が、ハウジング３０の長さ寸法よりも僅かに大きくされている。
【００２５】
コネクタ収容部２５は、一方の側壁部５２の上縁に、他方の側壁部５３側へ向かって突出する係止爪６１を有している。この係止爪６１には、その上面側にガイド面６２が形成されている。ガイド面６２は、先端へ向かって次第にハウジング３０の嵌合方向へ傾斜する傾斜面とされている。
【００２６】
また、コネクタ収容部２５は、電線導出部７０側の端部に、ハウジング３０の嵌合方向に沿う一対の逃げ溝６５，６６を有している。これらの逃げ溝６５，６６は、側壁部５２，５３における互いの対向位置にそれぞれ形成されている。さらに、コネクタ収容部２５は、他方の側壁部５３に、押圧突起６８を有している。それぞれの押圧突起６８は、一方の側壁部５２へ向かって突出されている。
【００２７】
コネクタ収容部２５の収容空間５０には、一方の側面３３が下方へ向けられて表面３１が一方の側壁部５２に向けられた第一の姿勢でジョイントコネクタ１５のハウジング３０が嵌合される。これにより、ハウジング３０は、他方の側面３４が係止爪６１で係止される。また、この収容状態で、表面３１に形成された突起部４１が一方の側壁部５２に形成された逃げ溝６５に挿入される。
【００２８】
また、コネクタ収容部２５の収容空間５０には、他方の側面３４が下方へ向けられて表面３１が他方の側壁部５３に向けられた第二の姿勢でジョイントコネクタ１５のハウジング３０が嵌合される。これにより、ハウジング３０は、一方の側面３３が係止爪６１で係止される。また、この収容状態で、表面３１に形成された突起部４１が他方の側壁部５３に形成された逃げ溝６６に挿入される。
【００２９】
電線導出部７０は、底壁部７１と、一対の導出側壁部７２，７３とから形成されている。電線導出部７０は、平面視で湾曲されている。これにより、電線導出部７０を形成する一方の導出側壁部７２が、収容空間５０の側壁部５２，５３同士の間の中心を通る軸線Ｘに対して交差されている（図５（ａ）参照）。この電線導出部７０には、収容空間５０に嵌合されたハウジング３０の基端面３６から引き出されている電線１３ａが湾曲されて収容される。
【００３０】
次に、プロテクタ２０のコネクタ収容部２５にジョイントコネクタ１５を組付ける場合について説明する。
【００３１】
作業者は、ワイヤハーネス１０の分岐線１３に接続されたジョイントコネクタ１５のハウジング３０を把持する。このとき、作業者は、把持したジョイントコネクタ１５のハウジング３０を、側面３３，３４の一方を下方に向けて横向きにし、電線１３ａが引き出されている基端面３６を側方へ向ける。そして、作業者は、把持したジョイントコネクタ１５のハウジング３０をコネクタ収容部２５の収容空間５０へ、その上方から嵌め込む。このとき、ハウジング３０の先端面３５を端壁部５４へ向け、ハウジング３０の基端面３６を電線導出部７０へ向ける。
【００３２】
例えば、作業者が一方の側面３３を下方へ向けることで、表面３１が一方の側壁部５２に向けられた第一の姿勢で収容空間５０へハウジング３０を嵌め込むと、係止爪６１のガイド面６２にハウジング３０の側面３３が接触し、係止爪６１が外側へ変位するように弾性変形し、収容空間５０の上方から退避される。これにより、ハウジング３０が収容空間５０へ入り込む。このとき、ハウジング３０の表面３１における基端面３６側の縁部に形成された突起部４１が、コネクタ収容部２５の一方の側壁部５２に形成された逃げ溝６５に挿入される。そして、ジョイントコネクタ１５のハウジング３０をコネクタ収容部２５の収容空間５０に嵌め込むと、弾性変形していた係止爪６１が復元し、ハウジング３０の他方の側面３４が係止される。
【００３３】
また、作業者が他方の側面３４を下方へ向けることで、表面３１が他方の側壁部５３に向けられた第二の姿勢で収容空間５０へハウジング３０を嵌め込むと、係止爪６１のガイド面６２にハウジング３０の側面３４が接触し、係止爪６１が外側へ変位するように弾性変形し、収容空間５０の上方から退避される。これにより、ハウジング３０が収容空間５０へ入り込む。このとき、ハウジング３０の表面３１における基端面３６側の縁部に形成された突起部４１が、コネクタ収容部２５の他方の側壁部５３に形成された逃げ溝６６に挿入される。そして、ジョイントコネクタ１５のハウジング３０をコネクタ収容部２５の収容空間５０に嵌め込むと、弾性変形していた係止爪６１が復元し、ハウジング３０の一方の側面３３が係止される。
【００３４】
そして、ジョイントコネクタ１５のハウジング３０を収容空間５０へ収容させたら、ハウジング３０の基端面３６から引き出されている電線１３ａをコネクタ収容部２５の電線導出部７０に湾曲させて収容させる。
【００３５】
このように、ジョイントコネクタ１５は、ハウジング３０を収容空間５０に収容させるとともに電線１３ａを電線導出部７０に収容させることで、プロテクタ２０のコネクタ収容部２５に対して電線１３ａが横方向へ引き出された状態の横向きに組付けられる。
【００３６】
以上、説明したように、本実施形態に係るコネクタの組付け構造によれば、コネクタ収容部２５の収容空間５０に対して、ハウジング３０の表面３１を一方の側壁部５２に向けた第一の姿勢またはハウジング３０の表面３１を他方の側壁部５３に向けた第二の姿勢のいずれかの姿勢で嵌合させ、係止爪６１で係止させることができる。つまり、表裏の形状が非対称のハウジング３０を有するジョイントコネクタ１５を、ハウジング３０の表裏の向きを気にすることなく、コネクタ収容部２５へ収容させることができる。これにより、作業者の負担を軽減し、プロテクタ２０のコネクタ収容部２５へのジョイントコネクタ１５の組付け作業を容易化して生産性を向上させることができる。
【００３７】
また、ハウジング３０の表面３１に突起部４１を有するジョイントコネクタ１５をコネクタ収容部２５の収容空間５０に嵌合させる際に、ハウジング３０の突起部４１が側壁部５２，５３に干渉することなく、逃げ溝６５，６６内に挿入される。したがって、コネクタ収容部２５へジョイントコネクタ１５を収容させる組付け作業を円滑に行うことができる。また、ハウジング３０の突起部４１と逃げ溝６５，６６とが係合することで、収容空間５０にハウジング３０を位置決めすることができ、また、ハウジング３０の前後方向へのがたつきを抑えることができる。
【００３８】
また、収容空間５０に嵌合されたハウジング３０が側壁部５３の押圧突起６８によって側壁部５２へ押圧されるので、ハウジング３０の厚さ方向へのがたつきを抑えることができる。
【００３９】
また、平面視で湾曲した電線導出部７０へ電線１３ａを収容させることで、電線１３ａが電線導出部７０を形成する一方の導出側壁部７２に当接される。これにより、電線導出部７０の一方の導出側壁部７２に当接された電線１３ａからの反力によって、収容空間５０内に嵌合されたハウジング３０を、さらにがたつきなく安定した状態で収容空間５０内に収容させることができ、また、収容空間５０からの抜け出しを抑えることができる。
【００４０】
しかも、ジョイントコネクタ１５が電線１３ａの引き出し方向を側方に向けた状態でコネクタ収容部２５に収容されるので、電線１３ａを伝ってハウジング３０へ水が浸入することを抑制でき、防水性を高めることができる。これにより、ジョイントコネクタ１５への水の浸入を抑制する防水用のカバーなどの部品を不要にでき、コストを抑えることができる。
【００４１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４２】
例えば、上記の実施形態では、コネクタ収容部２５へ収容させる表裏が非対称の形状のコネクタとして、ジョイントコネクタ１５を例示したが、コネクタ収容部２５へ収容させるコネクタは、ジョイントコネクタに限らず、相手側コネクタに接合させることで端子同士が導通される接合型のコネクタであっても良い。
【００４３】
ここで、上述した本発明に係るコネクタの組付け構造の実施形態の特徴をそれぞれ以下［１］〜［５］に簡潔に纏めて列記する。
［１］  ワイヤハーネス（１０）に装着されるプロテクタ（２０）のコネクタ収容部（２５）へのコネクタ（ジョイントコネクタ１５）の組付け構造であって、
前記コネクタ（ジョイントコネクタ１５）は、
表裏の形状が非対称のハウジング（３０）を有し、
前記コネクタ収容部（２５）は、
互いに対向する一対の側壁部（５２，５３）と、
前記側壁部（５２，５３）に挟まれて形成され、前記ハウジング（３０）が嵌合可能な収容空間（５０）と、
前記側壁部（５２，５３）の少なくとも一方の上縁部に設けられ、前記収容空間（５０）内に嵌め込まれた前記ハウジング（３０）を係止する係止爪（６１）と、
を有し、
前記コネクタ収容部（２５）には、前記ハウジング（３０）の表面（３１）を一方の前記側壁部（５２）に向けた第一の姿勢または前記ハウジング（３０）の表面（３１）を他方の前記側壁部（５３）に向けた第二の姿勢のいずれかの姿勢で、該ハウジング（３０）が前記収容空間（５０）に嵌合される
ことを特徴とするコネクタの組付け構造。
［２］  前記コネクタ（ジョイントコネクタ１５）には、前記ハウジング（３０）の表面（３１）または裏面（３２）の少なくとも一方に突起部（４１）を有し、
前記コネクタ収容部（２５）には、それぞれの前記側壁部（５２，５３）に、前記収容空間（５０）へ嵌合される前記ハウジング（３０）の前記突起部（４１）が挿入される逃げ溝（６５，６６）が形成されている
ことを特徴とする［１］に記載のコネクタの組付け構造。
［３］  いずれかの前記側壁部（５３）には、前記収容空間（５０）に嵌合された前記ハウジング（３０）を対向側の前記側壁部（５２）へ押圧する押圧突起（６８）が形成されている
ことを特徴とする［１］または［２］に記載のコネクタの組付け構造。
［４］  前記コネクタ収容部（２５）は、前記収容空間（５０）に嵌合された前記ハウジング（３０）から引き出された電線（１３ａ）を収容可能な電線導出部（７０）を有し、
前記電線導出部（７０）は、一対の導出側壁部（７２，７３）を有する溝状に形成され、
前記ハウジング（３０）から引き出された前記電線（１３ａ）が一方の前記導出側壁部（７２）に当接して湾曲された状態で前記電線導出部（７０）に収容される
ことを特徴とする［１］から［３］のいずれかに記載のコネクタの組付け構造。
［５］  前記コネクタ（ジョイントコネクタ１５）は、前記電線（１３ａ）の引き出し方向を側方へ向けた状態で前記コネクタ収容部（２５）に収容される
ことを特徴とする［４］に記載のコネクタの組付け構造。
【符号の説明】
【００４４】
１０：ワイヤハーネス
１３ａ：電線
１５：ジョイントコネクタ（コネクタ）
２０：プロテクタ
２５：コネクタ収容部
３０：ハウジング
３１：表面
３２：裏面
４１：突起部
５０：収容空間
５２，５３：側壁部
６１：係止爪
６５，６６：逃げ溝
６８：押圧突起
７０：電線導出部
７２，７３：導出側壁部
【図１】
2018045830.tif 000003
【図２】
2018045830.tif 000004
【図３】
2018045830.tif 000005
【図４】
2018045830.tif 000006
【図５】
2018045830.tif 000007